(57)【要約】  【課題】折りたたみ式自転車における枢着されたフレームの如く相互に枢着された部材を伸展させて固定連結する装置において、固定連結作業が部材を伸展させるだけで行えるようにする。  【解決手段】  第１部材１０の端部１０−１に設けられる第１固定部材２０と、第２部材１２の端部１２−１に設けられ、第１部材が伸展された（すなわち、第１及び第２部材の端部が突き合わされた）位置にあるときの第１固定部材に対して係合・係合解除される施錠部分２２−５を備える第１施錠部材２２と、該第１施錠部材を開錠位置(図４)から施錠位置に動くよう付勢する付勢手段２３と、第２部材に取り付けられ、第１施錠部材を上記開錠位置に固定する固定位置と、同第１施錠部材が施錠位置になるのを許容する解放位置との間で変位可能とされ、通常は固定位置に保持されるようになされた施錠部材用ロック部材２４と、第１部材に取り付けられ、該第１部材が上記突合せ位置とされたときに施錠部材用ロック部材を固定位置から上記解放位置に変位させる固定解除部材３０と有する。【選択図】図４
2005249117.tif 000002
【特許請求の範囲】
【請求項１】
相互に枢着された第１及び第２部材を、該第１及び第２部材の枢着されている端部を突き合わせた位置で相互に固定連結するための装置であって、
上記第１部材の上記端部に設けられる第１固定部材と、
上記第２部材の上記端部に設けられ、上記第１部材が上記端部突合せ位置にあるときの上記第１固定部材に対して係合・係合解除される施錠部分を備える第１施錠部材であって、上記施錠部分を、上記第１固定部材に係合させることにより、当該第１及び第２部材を固定連結する第１施錠位置と、同施錠部分を第１固定部材から係合解除させることにより、同第１及び第２部材を相互に枢動可能とする第１開錠位置との間で変位可能とされる第１施錠部材と、
該第１施錠部材を上記第１開錠位置から上記第１施錠位置に動くよう付勢する第１付勢手段と、
上記第２部材に取り付けられ、上記第１付勢手段による付勢力に抗して上記第１施錠部材を上記第１開錠位置に固定する固定位置と、同第１施錠部材が上記第１付勢手段によって動かされ第１施錠位置になるのを許容する解放位置との間で変位可能とされ、通常は固定位置に保持されるようになされた施錠部材用ロック部材と、
上記第１部材に取り付けられ、該第１部材が上記突合せ位置とされたときに上記施錠部材用ロック部材を上記固定位置から上記解放位置に変位させる固定解除部材と、
を有し、
上記第１施錠部材の上記施錠部分は、当該第1施錠部材が上記第１開錠位置から第１施錠位置に動くときに、上記突合せ位置にある上記第1部材の上記第1固定部材に係合し、且つ、上記第１施錠位置に近づくに従って当該第1固定部材との係合圧力が増大するようにされている
ことを特徴とする枢着部材固定連結装置。
【請求項２】
相互に枢着された第１及び第２部材を、該第１及び第２部材の枢着されている端部を突き合わせた位置で相互に固定連結するための装置であって、
上記第１部材の上記端部に設けられる第１固定部材と、
上記第２部材の上記端部に設けられ、上記第１部材が上記端部突合せ位置にあるときの上記第１固定部材に対して係合・係合解除される施錠部分を備える第１施錠部材であって、上記施錠部分を、上記第１固定部材に係合させることにより、当該第１及び第２部材を固定連結する第１施錠位置と、同施錠部分を第１固定部材から係合解除させることにより、同第１及び第２部材を相互に枢動可能とする第１開錠位置との間で変位可能とされる第１施錠部材と、
該第１施錠部材を上記第１開錠位置から上記第１施錠位置に動くよう付勢する第１付勢手段と、
を有し、
上記第１施錠部材の上記施錠部分は、当該第1施錠部材が上記第１開錠位置から第１施錠位置に動くときに、上記突合せ位置にある上記第1部材の上記第1固定部材に係合し、且つ、上記第１施錠位置に近づくに従って当該第１固定部材との係合圧力が増大するようにされている
ことを特徴とする枢着部材固定連結装置。
【請求項３】
上記第１施錠部材が、所定の軸線を中心に回動可能とされ、同軸線を中心とした円筒状の施錠壁を有し、
該施錠壁は、上記第1部材が上記第2部材に対して枢動して上記突合せ位置に近づいたり離れたりするときに該第1部材に設けられている上記第1固定部材が、当該施錠壁の内側及び外側の間で動くのを許容する固定部材通過部を有し、
同第１施錠部材が第１開錠位置から第１施錠位置へ回動するときに、施錠壁内に位置する上記第1固定部材と係合して第1及び第2部材を固定連結する内周面を有し、
該内周面は上記第１施錠部材が第１施錠位置に近づくに従って上記第１固定部材との係合圧力を増すように上記軸線を中心にした半径が次第に小さくなるようにしてあり、該内周面が上記施錠部分を構成するようにした
ことを特徴とする請求項１若しくは２に記載の枢着部材固定連結装置。
【請求項４】
上記第１施錠部材が、所定の軸線を中心に回動可能とされ、同軸線を中心とした円筒状の施錠壁を有し、
該施錠壁は、上記第1部材が上記第2部材に対して枢動して上記突合せ位置に近づいたり離れたりするときに該第1部材に設けられている上記第1固定部材が、当該施錠壁の内側及び外側の間で動くのを許容する固定部材通過部を有し、
上記第1固定部材は、上記固定部材通過部を通されて上記施錠壁の内側位置とされた状態で、上記第１開錠位置から第１施錠位置へ回動する上記第1施錠部材によって摺動係合され、上記第1部材を上記突合せ位置に押し付ける上記係合圧力を受ける傾斜面を有し、該第1施錠部材が上記第1施錠位置に近づくに従って、上記第1施錠部材からの上記押圧力が増大するようにされている
ことを特徴とする請求項１若しくは２に記載の枢着部材固定連結装置。
【請求項５】
第１部材の上記端部に設けられ、当該第１部材が第２部材に対して枢動されて上記突合せ位置に動かされるときに第２部材内に所定の経路に沿って挿入される第２固定部材と、
上記第２部材の上記端部に設けられ、第２施錠位置と第２開錠位置との間で変位可能とされた第２施錠部材と、
該第２施錠部材を上記第２施錠位置に付勢する第２付勢手段と、
を有し、
上記第１部材が上記第２部材に対して枢動されて上記突合せ位置に動かされるときに、上記第２固定部材が上記第２施錠部材を上記第２付勢手段に抗して上記第２開錠位置とし、上記第２部材内に挿入され、同第１部材が上記突合せ位置に達したときに、上記第２施錠部材が上記第２付勢手段により上記第２施錠位置に戻されて、当該第２固定部材が上記経路に沿って戻るのを阻止し、それにより当該第１部材が上記突合せ位置から動くのを阻止するようにした
ことを特徴とする請求項１乃至４のいずれかに記載の枢着部材固定連結装置。
【請求項６】
上記第２施錠部材は、手動により上記第２施錠位置から上記第２開錠位置に可動なるようにされており、該第２開錠位置において、上記第１開錠位置とされている上記第１施錠部材と係合して、同第１施錠部材を第１開錠位置に保持するようになされていることを特徴とする請求項１乃至５のいずれかに記載の枢着部材固定連結装置。
【請求項７】
上記第１施錠部材が上記第１開錠位置にほぼ近づいた位置とされて、上記固定部材通過部が上記第1部材の枢動に伴って動く上記第１固定部材の経路にほぼ整合された状態で上記第２施錠部材が手動により上記第２開錠位置とされて上記第１施錠部材に係合された状態において、上記第１部材が上記突合せ位置から離れるように動かされるときに、該第１部材の動きに伴って動かされる上記第１固定部材が、上記第１施錠部材の上記固定部材通過部の縁に係合して、当該第１施錠部材を上記第1開錠位置に向けて動かし、上記施錠部材用ロック部材が上記固定位置となることができるようにしたことを特徴とする請求項６に記載の枢着部材固定連結装置。
【請求項８】
上記第1施錠部材が、上記第1部材が上記突合せ位置に近づくのに伴い、上記第1施錠位置から上記第1開錠位置に向けて動かされるようにしたことを特徴とする請求項２に記載の枢着部材固定連結装置。
【請求項９】
請求項1乃至８のいずれかに記載の枢着部固定連結装置であって、折畳み式自転車における相互に枢着されて折畳み可能とした第1及び第2の自転車フレーム部分を上記第1及び第2部材とし、当該第1及び第2の自転車フレーム部分を上記突き合わせた位置で相互に固定することが出来るようにした折畳み式自転車における枢着フレーム部分の固定連結装置。
【発明の詳細な説明】
【技術分野】
【０００１】
本発明は、折畳み自転車における折畳みフレーム部分のように、相互に枢着された部材を、使用時など必要に応じて、固定連結するための装置に関する。
【背景技術】
【０００２】
折畳み可能とした自転車では、相互に枢着し折畳み可能としたフレーム部分を、使用時において、伸展させて固定連結するようになっている。このフレーム部分を固定連結する装置としては、枢着されたフレーム部分を先ず伸展し、それらフレーム部分の端部が相互に突き合わされた状態とした後に、レバーなどを使って固定連結操作するようになっている（例えば、特許文献１及び文献２参照）。
【特許文献１】実用新案登録第２５０９２７９号
【特許文献２】特開２０００‐３２６８８４号
【発明の開示】
【発明が解決しようとする課題】
【０００３】
この種の固定連結装置は、固定連結するための操作がより簡単であることが好ましく、そのような観点で、上記の如くレバーなどを使った固定連結操作が必要な上記従来装置は、その改良が求められていた。
本発明は、従来のものに比べて操作がより簡単で、しかも、固定連結を確実に行えるようにした固定連結装置を提供することを目的としている。
【課題を解決するための手段】
【０００４】
すなわち、本発明は、折畳み自転車などにおける相互に枢着された（上述したフレーム部分に相当する）第１及び第２部材を、該第１及び第２部材の枢着されている端部を突き合わせた位置で相互に固定連結するための装置であって、
上記第１部材の上記端部に設けられる第１固定部材と、
上記第２部材の上記端部に設けられ、上記第１部材が上記端部突合せ位置にあるときの上記第１固定部材に対して係合・係合解除される施錠部分を備える第１施錠部材であって、上記施錠部分を、上記第１固定部材に係合させることにより、当該第１及び第２部材を固定連結する第１施錠位置と、同施錠部分を第１固定部材から係合解除させることにより、同第１及び第２部材を相互に枢動可能とする第１開錠位置との間で変位可能とされる第１施錠部材と、
該第１施錠部材を上記第１開錠位置から上記第１施錠位置に動くよう付勢する第１付勢手段と、
上記第２部材に取り付けられ、上記第１付勢手段による付勢力に抗して上記第１施錠部材を上記第１開錠位置に固定する固定位置と、同第１施錠部材が上記第１付勢手段によって動かされ第１施錠位置になるのを許容する解放位置との間で変位可能とされ、通常は固定位置に保持されるようになされた施錠部材用ロック部材と、
上記第１部材に取り付けられ、該第１部材が上記突合せ位置とされたときに上記施錠部材用ロック部材を上記固定位置から上記解放位置に変位させる固定解除部材と、
を有し、
上記第１施錠部材の上記施錠部分は、当該第1施錠部材が上記第１開錠位置から第１施錠位置に動くときに、上記突合せ位置にある上記第1部材の上記第1固定部材に係合し、且つ、上記第１施錠位置に近づくに従って当該第1固定部材との係合圧力が増大するようにされている
ことを特徴とする枢着部材固定連結装置を提供する。
この装置では、第１部材を枢動して、その端部が第２部材の端部に突き合わされるような状態とするだけで、第１施錠部材による施錠作用が生じ、第１及び第２部材を固定連結することができる。また、第１施錠部材が付勢手段によって第１施錠位置に付勢されており、該第１施錠部材の上記施錠部分は、当該第1施錠部材が上記第１開錠位置から第１施錠位置に動くときに、上記突合せ位置にある第1部材の第1固定部材に係合し、且つ、第１施錠位置に近づくに従って当該第1固定部材との係合圧力が増大するようにされているので、第１固定部材などに磨耗が生じたとしても、ガタが生じることがないようにすることができる。
【０００５】
また、本発明は  相互に枢着された第１及び第２部材を、該第１及び第２部材の枢着されている端部を突き合わせた位置で相互に固定連結するための装置であって、
上記第１部材の上記端部に設けられる第１固定部材と、
上記第２部材の上記端部に設けられ、上記第１部材が上記端部突合せ位置にあるときの上記第１固定部材に対して係合・係合解除される施錠部分を備える第１施錠部材であって、上記施錠部分を、上記第１固定部材に係合させることにより、当該第１及び第２部材を固定連結する第１施錠位置と、同施錠部分を第１固定部材から係合解除させることにより、同第１及び第２部材を相互に枢動可能とする第１開錠位置との間で変位可能とされる第１施錠部材と、
該第１施錠部材を上記第１開錠位置から上記第１施錠位置に動くよう付勢する第１付勢手段と、
を有し、
上記第１施錠部材の上記施錠部分は、当該第1施錠部材が上記第１開錠位置から第１施錠位置に動くときに、上記突合せ位置にある上記第1部材の上記第1固定部材に係合し、且つ、上記第１施錠位置に近づくに従って当該第１固定部材との係合圧力が増大するようにされている
ことを特徴とする枢着部材固定連結装置を提供する。
この装置においては、第１及び第２部材を固定連結するときに、人手によって第１施錠部材を第１付勢手段に抗して第１開錠位置とし、第１部材を第２部材に対して突き合わせた後、第１施錠部材を離すことによって該第１施錠部材は第１付勢手段により第１施錠位置に動かされ、当該第１及び第２部材の固定連結がなされることになる。
【０００６】
具体的には、
上記第１施錠部材が、所定の軸線を中心に回動可能とされ、同軸線を中心とした円筒状の施錠壁を有し、
該施錠壁は、上記第1部材が上記第2部材に対して枢動して上記突合せ位置に近づいたり離れたりするときに該第1部材に設けられている上記第1固定部材が、当該施錠壁の内側及び外側の間で動くのを許容する固定部材通過部を有し、
同第１施錠部材が第１開錠位置から第１施錠位置へ回動するときに、施錠壁内に位置する上記第1固定部材と係合して第1及び第2部材を固定連結する内周面を有し、
該内周面は上記第１施錠部材が第１施錠位置に近づくに従って上記第１固定部材との係合圧力を増すように上記軸線を中心にした半径が次第に小さくなるようにしてあり、該内周面が上記施錠部分を構成するようにしたものとすることができる。
【０００７】
また、別の具体例では、
上記第１施錠部材が、所定の軸線を中心に回動可能とされ、同軸線を中心とした円筒状の施錠壁を有し、
該施錠壁は、上記第1部材が上記第2部材に対して枢動して上記突合せ位置に近づいたり離れたりするときに該第1部材に設けられている上記第1固定部材が、当該施錠壁の内側及び外側の間で動くのを許容する固定部材通過部を有し、
上記第1固定部材は、上記固定部材通過部を通されて上記施錠壁の内側位置とされた状態で、上記第１開錠位置から第１施錠位置へ回動する上記第1施錠部材によって摺動係合され、上記第1部材を上記突合せ位置に押し付ける上記係合圧力を受ける傾斜面を有し、該第1施錠部材が上記第1施錠位置に近づくに従って、上記第1施錠部材からの上記押圧力が増大するようなものとされる。
【０００８】
また、本発明に係る固定連結装置は、
第１部材の上記端部に設けられ、当該第１部材が第２部材に対して枢動されて上記突合せ位置に動かされるときに第２部材内に所定の経路に沿って挿入される第２固定部材と、
上記第２部材の上記端部に設けられ、第２施錠位置と第２開錠位置との間で変位可能とされた第２施錠部材と、
該第２施錠部材を上記第２施錠位置に付勢する第２付勢手段と、
を有し、
上記第１部材が上記第２部材に対して枢動されて上記突合せ位置に動かされるときに、上記第２固定部材が上記第２施錠部材を上記第２付勢手段に抗して上記第２開錠位置とし、上記第２部材内に挿入され、同第１部材が上記突合せ位置に達したときに、上記第２施錠部材が上記第２付勢手段により上記第２施錠位置に戻されて、当該第２固定部材が上記経路に沿って戻るのを阻止し、それにより当該第１部材が上記突合せ位置から動くのを阻止するようにしたものとすることもできる。
このようにすることにより、第１施錠部材が第１開錠位置に動かされただけでは、第１部材を第２部材に対して枢動することはできず、不用意に固定連結が解除されるのを防止することができる。
【０００９】
具体的には、この第２施錠部材は、手動により第２施錠位置から第２開錠位置に可動なるようにされており、該第２開錠位置において第１開錠位置とされた第１施錠部材と係合して、同第１開錠位置に保持するようにするようなものとすることができる。
このようにすることにより、第１施錠部材を第１開錠位置とし、第２施錠部材を第２開錠位置として第１及び第２施錠部材の固定連結を解除可能とすると共に、そのような状態では第１施錠部材が第２施錠部材によって第１開錠位置に保持されるので、作業者は第１施錠部材から手を離して、第１部材及び第２部材の固定連結解除作業を行うことが出来る。
【００１０】
好ましくは、上記第１施錠部材が上記第１開錠位置にほぼ近づいた位置とされて、上記固定部材通過部が上記第1部材の枢動に伴って動く上記第１固定部材の経路にほぼ整合された状態で上記第２施錠部材が上記第２開錠位置とされて上記第１施錠部材に係合された状態において、上記第１部材が上記突合せ位置から離れるように動かされるときに、該第１部材の動きに伴って動かされる上記第１固定部材が、上記第１施錠部材の上記固定部材通過部の縁に係合して、当該第１施錠部材を上記第1開錠位置に向けて動かし、上記施錠部材用ロック部材が上記固定位置となるようにする。
【００１１】
また、本発明に係る装置では、上記第1施錠部材が、上記第１付勢手段により通常は上記第１施錠位置とされ、上記第1部材が上記突合せ位置に近づくのに伴い、該第1施錠位置から上記第1開錠位置に向けて動かされるようにし、当該第１部材が上記突合せ位置となるのを許容するものとすることができる。
【００１２】
本発明に係る上記固定連結装置は、前述の如く折畳み自転車に適用できるものであり、  本発明では、上記の如き枢着部固定連結装置であって、折畳み式自転車における相互に枢着されて折畳み可能とした第1及び第2の自転車フレーム部分を上記第1及び第2部材とし、当該第1及び第2の自転車フレーム部分を上記突き合わせた位置で相互に固定することが出来るようにした折畳み式自転車における枢着フレーム部分の固定連結装置をも提供する。
【発明を実施するための最良の形態】
【００１３】
以下、本発明に係る枢着部材固定連結装置の実施形態につき説明する。
図１において、参照番号１０及び１２で示すのは、前述の折畳み式自転車における折畳みフレーム部分のように枢軸１４によって枢動可能に連結された第１及び第２部材を示している。
【００１４】
第１及び第２部材１０，１２は、図１に示すように第１部材１０と第２部材１２とが折り曲げられたり折畳まれたりした状態から、図２に示すように第１部材１０を第２部材１２に対して相対的に枢動し、図３に示すように当該第１第及び２部材１０,１２の枢着されている端部（図示の例では、筒状の端部部材が第１及び第２部材に嵌合されて同端部の一部を構成している）１０−１，１２−１が突合わされた状態とすることができる。本発明に係る枢着部材固定連結装置は、このように枢着された第１及び第２部材が相互に突合わされた状態において固定連結するための装置であり、以下のように構成されている。
すなわち、本発明に係る枢着部材固定連結装置は、第１部材１０の端部１０−１側面に設けられた第１固定部材２０と、第２部材１２の端部１２−１側面に設けられ、第１固定部材１０に対して係合・係合解除されることにより第１部材を第２部材に固定連結・固定連結解除を行うための第1施錠部材２２と、を有している。
【００１５】
図示の実施形態における第１施錠部材２２は、第２部材の側面に当該第２部材を横断する方向に延びる枢軸線２２−１を中心に回動可能に取り付けられた円筒状の部材とされており、図４に示す第１開錠位置と、該第１開錠位置から図４で見て時計方向に回動された第１施錠位置との間で回動可能とされている。
【００１６】
該第１施錠部材２２は、枢軸線２２−１を横断する方向に延びる端壁２２−２と、該端壁２２−２から第２部材１２の方向に向って延びる円筒状の施錠壁２２−３を有している。施錠壁２２−３には、当該第１施錠部材２２が第１開錠位置(図４)にあるときに、第１部材１０が第２部材１２に対して枢動されて上記端部突合せ位置に至るときに、該第１部材１０に取り付けられた第１固定部材２０を通すための固定部材通過部すなわち開口２２−４が設けられている。また、該施錠壁２２−３の内面には、上記第１部材が上記突合せ位置(図３)となり、上記第１固定部材２０が上記開口２２−４を通して当該施錠壁２２−３の内側に位置決めされた状態において、第１施錠部材２２が図４に示す第１開錠位置から時計方向に回動されて第１施錠位置に動かされるときに、同施錠壁２２−３の内面が第１固定部材２２に係合しながら、当該第１固定部材が上記開口２２−４を通って図４の位置に至る経路を横断するように動き、その動きに伴って次第に該第１固定部材との係合圧力を増大するように傾斜する施錠部分（すなわち、上記軸線２２−１を中心にした円よりも次第に内側に傾斜する部分、すなわち、半径が次第に小さくなる部分）２２−５を有している。
【００１７】
本発明に係る枢着部材固定連結装置は更に、施錠部材２２をその施錠部分２２−５が上記第１施錠位置に動くよう付勢する第1付勢手段すなわちコイルバネ２３を備えている。
第２部材１２には、施錠部材用ロック部材２４(図５)が設けられており、該施錠部材用ロック部材２４は、第1施錠部材２２に設けられたロック部材受入れ凹部２２−７内に入り、同第1施錠部材２２を上記コイルバネ２３による付勢力に抗して上記第１開錠位置（図４）に固定する固定位置と、同施錠部材２２が上記コイルバネ２３によって第１施錠位置にされるのを許容する解放位置（図５）との間で変位可能とされており、通常はコイルバネ２６により固定位置に保持されるようにされている。
【００１８】
これに対し、第１部材１０の端面１０−２には、三角形とされた固定解除部材２８が取り付けられており、第１部材１０が突合せ位置（図３）とされるときに当該固定解除部材２８の傾斜面２８−１が施錠部材用ロック部材２４に係合して同ロック部材２４を固定位置から解放位置(図５)に変位させるようになっている。
【００１９】
更に、第１部材１０の端部１０−１には第２固定部材３０(図６)が設けられており、第１部材１０が第２部材１２に対して枢動されて上記突合せ位置(図３)に動かされるときに所定経路に沿って第２部材１２の端部１２−１内に動かされるようになっている。これに対し、第２部材１２の端部１２−１には第２施錠部材３２が設けられ、図６に実線で示す第２施錠位置と、図６の第２施錠位置から押下げられた第２開錠位置との間で変位可能とされ、コイルバネ３６により第２施錠位置に付勢されている。
【００２０】
すなわち、第１部材１０が第２部材１２に対して枢動されて突合せ位置(図３)に動かされるときに、第２固定部材３０が、その先端の傾斜面３０−１が第２施錠部材３２と係合して、該第２施錠部材３２をコイルバネ３６に抗して第２開錠位置とし、同第１部材１０が上記突合せ位置(図３)に達したときに、第２施錠部材３２がコイルバネ３６により第２施錠位置（図６）に戻されて、当該第２固定部材３０が上記経路に沿って戻るのを阻止し、それにより当該第１部材１０が突合せ位置(図３)から動くのを阻止するようになっている。
【００２１】
第２施錠部材３２は、押しボタン式になっており、手動により第２施錠位置(図６)から第２開錠位置に押し下げられたときに、第１開錠位置（図７、図４）とされている第１施錠部材２２の施錠壁２２−３の外周面に形成された凹部２２−８と係合して、同第１施錠部材２２を第１開錠位置(図７、図４)に保持する舌片３２−１を有している。すなわち、舌片３２−１が凹部２２−８に係合した状態では、第１施錠部材２２は第１開錠位置にあり、第２施錠部材も第２開錠位置にあり、第１施錠部材２２は、作業者が手を離しても、第１開錠位置に保持されるので、作業者は、片方の手で第２施錠部材を押込み、他方の手で第１部材１０を第２部材１２に対して枢動し、第１及び第２部材の固定連結を解除し、折畳むことができる。
【００２２】
しかし、そのような折畳み作業を行う場合に、作業者が第１施錠部材２２を完全に第１開錠位置まで動かさずに、第２施錠部材３２を押込むことが生じうる。そのような状態においては、第１施錠部材の固定部材通過部すなわち開口２２−４が第1固定部材２０の経路にほぼ整合され、第1固定部材２０が第１施錠部材２２から離れることが可能となるが、施錠部材用ロック部材２４（図５）がロック部材受入れ凹部２２−７とまだ整合されていないので、作業者が第２施錠部材３２から手を離せば、第１施錠部材２２は、第１施錠位置に戻ることになる。
【００２３】
このようなことが生じないように、本発明では、図４及び図７に示すように、第１固定部材２０の側面を傾斜面２０−１としており、上記のような状態で、当該第１固定部材２０が固定部材通過部すなわち開口２２−４を通るときに、同開口の縁２２−６に係合して、当該第１施錠部材２２を第１開錠位置に押し戻し、施錠部材用ロック部材２４がロック部材受入れ凹部２２−７に嵌合して、第１施錠部材２２を第１開錠位置に固定するようにしている。
【００２４】
以上、本発明に係る枢着部材固定連結装置の実施形態につき説明したが、本発明はこの実施形態に限定されるものではなく、特許請求の範囲に規定する発明の範囲内において種々の形態をとり得るものである。
例えば、施錠部材用ロック部材２４が無いものとすることができる。すなわち、そのような固定連結装置では、第１施錠部材２２はコイルバネ２３により通常状態においては第１施錠位置とされ、第１及び第２部材を固定連結するときに、人手により該第１施錠部材２２をコイルバネ２３に抗して第１開錠位置に変位させて、第１部材を第２部材に対する突合せ位置に動かし、該突合せ位置となったときに当該第１施錠部材２２を解放すれば、コイルバネ２３により第１施錠位置に戻され、それにより、第１及び第２部材の固定連結が行われるようにすることができる。また、施錠部材用ロック部材２４が無いものとした場合には、人手によって第１施錠部材２２を第１開錠位置とするのではなく、該第１施錠部材２２に、例えば、傾斜カム面を形成し、第１部材が上記第２部材に対する突合せ位置に動かされるときに、第１固定部材２０がその傾斜カム面と係合することにより、第１施錠位置にあった第１施錠部材２２を第１開錠位置の方へ動かし、それにより当該第１固定部材が第１施錠部材の施錠部分２２−５によって係合される位置まで進めるようにすることもできる。
【００２５】
また、上記の実施形態においては、第１施錠部材の施錠部分２２−５が次第に半径の小さくなる傾斜した部分としたが、この半径が小さくなる態様は連続的である必要はなく、段階的に小さくなるようにしても良い。この半径を次第に小さくするのは、前述の通り、第１施錠部材２２が第１固定部材２０に係合するときに、第１固定部材２０との係合圧力が次第に大きくなるようにするためであり、このようにするためには、第１固定部材２０の方に傾斜面を設けて、第１施錠部材２２が第１開錠位置から第１施錠位置に動くときに、該傾斜面に係合し、同第１施錠部材が第１施錠位置に近づくほど、当該傾斜面との係合圧力が大きくなるようにすることも出来る。
【図面の簡単な説明】
【００２６】
【図１】本発明に係る枢着部材固定連結装置が適用されている相互に枢着された第１及び第２部材が、固定連結されていない状態（第１部材が第２部材に対し枢動可能の状態）を示す平面図である。
【図２】第１部材が、第２部材に固定連結される位置に向けて動かされている状態を示す平面図である。
【図３】第１部材が第２部材に固定連結する位置とされている状態を示す平面図である。
【図４】図３の側面図で、第１施錠部材が本来は施錠位置にあるところを開錠位置にある状態のままで表示している。
【図５】図４のV-V線断面図であり、第１施錠部材を開錠位置に保持するための固定位置にあった施錠部材用ロック部材が解放位置に変位された状態を示している。
【図６】図３のVI-VI線断面図であり、第２施錠部材が第２施錠位置にある状態を示している。
【図７】図３のVII-VII線断面図であり、第２施錠部材と第１施錠部材との関係を示してある。
【符号の説明】
【００２７】
１０        第１部材
１０−１    端部
１０−２    端面
１２        第２部材
１２−１    端部
１４        枢軸
２０        第１固定部材
２０−１    傾斜面
２２        第１施錠部材
２２−１    枢軸線
２２−２    端壁
２２−３    施錠壁
２２−４    開口（固定部材通過部）
２２−５    施錠部分
２２−６    開口の縁
２２−７    ロック部材受入凹部
２２−８    凹部
２３        コイルバネ（第１付勢手段）
２４        施錠部材用ロック部材
２６        コイルバネ
２８        固定解除部材
２８−１    傾斜面
３０        第２固定部材
３０−１    傾斜面
３２        第２施錠部材
３２−１    舌片
３６        コイルバネ
【図１】
2005249117.tif 000003
【図２】
2005249117.tif 000004
【図３】
2005249117.tif 000005
【図４】
2005249117.tif 000006
【図５】
2005249117.tif 000007
【図６】
2005249117.tif 000008
【図７】
2005249117.tif 000009
【手続補正書】
【提出日】平成17年3月29日(2005.3.29)
【手続補正１】
【補正対象書類名】明細書
【補正対象項目名】００１６
【補正方法】変更
【補正の内容】
【００１６】
該第１施錠部材２２は、枢軸線２２−１を横断する方向に延びる端壁２２−２と、該端壁２２−２から第２部材１２の方向に向って延びる円筒状の施錠壁２２−３を有している。施錠壁２２−３には、当該第１施錠部材２２が第１開錠位置(図４)にあるときに、第１部材１０が第２部材１２に対して枢動されて上記端部突合せ位置に至るときに、該第１部材１０に取り付けられた第１固定部材２０を通すための固定部材通過部すなわち開口２２−４が設けられている。また、該施錠壁２２−３の内面には、上記第１部材が上記突合せ位置(図３)となり、上記第１固定部材２０が上記開口２２−４を通して当該施錠壁２２−３の内側に位置決めされた状態において、第１施錠部材２２が図４に示す第１開錠位置から時計方向に回動されて第１施錠位置に動かされるときに、同施錠壁２２−３の内面が第１固定部材２０に係合しながら動き、その動きに伴って次第に該第１固定部材との係合圧力を増大するように傾斜する施錠部分（すなわち、上記軸線２２−１を中心にした円よりも次第に内側に傾斜する部分、すなわち、半径が次第に小さくなる部分）２２−５を有している。
【手続補正２】
【補正対象書類名】図面
【補正対象項目名】図３
【補正方法】変更
【補正の内容】
【図３】
2005249117.tif 000010
【手続補正３】
【補正対象書類名】図面
【補正対象項目名】図４
【補正方法】変更
【補正の内容】
【図４】
2005249117.tif 000011
【手続補正４】
【補正対象書類名】図面
【補正対象項目名】図７
【補正方法】変更
【補正の内容】
【図７】
2005249117.tif 000012